(57)【要約】      （修正有）【課題】  装置の外部コネクタに接続されるアンテナモジュール又はアンテナ付無線モジュールで、当該モジュールの設置状態にかかわらず、通信可能範囲を、より均一にする。【解決手段】  Ｓ１１０１で、プリンタの電源部にＡＣ電源が供給されるとＳ１１０２に遷移し、プリンタ制御部は、プリンタ内部に対して初期設定を行う。Ｓ１１０３で、プリンタ制御部は、無線Ｉ／Ｆからアンテナ垂直センサーが、ＯＮかＯＦＦから判断する。ＹＥＳならＳ１１０４に遷移し、ＮＯならＳ１１０７に遷移する。Ｓ１１０７では、アンテナが水平に設置されているので、プリンタ制御部は、無線Ｉ／Ｆの送信出力を１．０Ｗに設定し、Ｓ１１０５に遷移する。Ｓ１１０４では、アンテナが垂直に設置されているので、プリンタ制御部は、無線Ｉ／Ｆの送信出力を０．６Ｗに設定し、Ｓ１１０５に遷移する。Ｓ１１０５で、プリンタ制御部は、無線Ｉ／Ｆを介してＰＣから印刷データの受信があったかを判断する。ＮＯならＳ１１０５に戻り、ＹＥＳならＳ１１０６に遷移する。【選択図】  図１１
2005167569.tif 000002
【特許請求の範囲】
【請求項１】
固定型アンテナの設置方向を検知するアンテナ方向検知手段と、
前記固定型アンテナを介して無線通信可能な無線通信手段と、
前記アンテナ方向検知手段で検知した固定型アンテナの設置方向に応じて、前記無線通信手段による送信出力を切換える切換手段と、
を有することを特徴とする無線通信装置。
【請求項２】
請求項１において、
前記切換手段は、予め決められた送信出力のうち、前記アンテナ方向検知手段で検知した固定型アンテナの設置方向に応じた送信出力に切換えることを特徴とする無線通信装置。
【請求項３】
無線送信出力の切換え方法において、
固定型アンテナの設置方向を検知し、検知した固定型アンテナの設置方向に応じて、無線送信出力を切換えることを特徴とする無線送信出力の切換え方法。
【発明の詳細な説明】
【技術分野】
【０００１】
本発明は、コンピュータ装置や、コンピュータ周辺装置に接続することで、無線通信が可能となるアンテナモジュール又はアンテナ付無線モジュール等の無線通信装置及び無線送信出力の切換え方法に関する。
【背景技術】
【０００２】
従来、コンピュータ装置や、コンピュータ周辺装置のコネクタに接続することで、無線通信が可能となるアンテナモジュール又はアンテナ付無線モジュールがある。（特許文献１）
このようなモジュールは、ＬＡＮケーブルやＵＳＢ（ユニバーサル・シリアル・バス）やセントロ・インタフェースのコネクタに直に接続され、コンピュータ装置やコンピュータ周辺装置に接続するため、アンテナモジュール、アンテナ付無線モジュールの設置状態は、多様である。
【０００３】
また、このようなモジュールは、接続対象も広範囲で、送信電力は固定である。
【特許文献１】特開平７−０５８７４９号公報
【発明の開示】
【発明が解決しようとする課題】
【０００４】
そのため、アンテナモジュール、アンテナ付無線モジュールの設置状態により、通信可能距離に、ばらつきが生じ、通信したいのに、出来なかったり、通信可能距離が長すぎて、他の無線通信に悪影響を及ぼしたり、問題が発生していた。
【課題を解決するための手段】
【０００５】
本発明は、前記問題を解決するためのものであり、アンテナの設置方向に応じて、無線送信の送信出力を切換え、アンテナの設置状態に応じた通信距離のばらつき等を抑制する。
【発明の効果】
【０００６】
以上のように本発明によれば、アンテナの設置方向を検知することで、送信出力を切り替え、通信可能距離をより均一に保つことで、他通信への悪影響を少なくできる。また、通信サービス保障範囲をより均一に保つことができる。
【発明を実施するための最良の形態】
【０００７】
図１は、本実施例のシステム構成を示す図である。
【０００８】
図１において、１１は、無線インタフェースを持つプリンタ、１２と１３は、プリンタ１１と通信でき、印刷情報をプリンタ（１１）に送信できる無線インタフェースを持つパーソナルコンピュータ（ＰＣ）である。
【０００９】
図２は、本実施例のＰＣ１２、１３の内部構成を示す図である。
【００１０】
図２において、２００は、本ＰＣのメインＣＰＵ、２０１は、ＣＰＵ２００のプログラムや、ＣＰＵ２００に必要な情報を格納するためのメモリ、２０２は、表示部、２０３は、キーボード、２０４は、電源部、２０５は、ハードディスク部、２０６はプリンタ１１と通信するための無線インタフェース（無線Ｉ／Ｆ）、２０７はアンテナ、２０８は、制御信号／バス、２０９は、電源部２０４からの電源を供給する電源線、２１０は、電源スイッチ、２１１は、タイマー、２１２は、タイマー２１１の状態により、ＣＰＵ２００に割り込みをかけるための割り込み信号である。
【００１１】
図３は、本実施例のプリンタ１１の内部構成を示す図である。
【００１２】
図３において、３００は、制御部、３０１は、制御部３００のプログラムや、制御部に必要な情報を格納するためのメモリ、３０２は、表示部、３０３は、スイッチが配置されている操作部、３０４は、アンテナケーブル、３０５は、印刷処理部、３０６は、電源部３０９の電源を供給する電源線、３０７は、アンテナ、３０８は、制御線／バス、３０９は、電源部である。
【００１３】
図４は、本実施例のプリンタ用アンテナ（３０７）の構造を示す図であり、アンテナ３０７は、アンテナ部、コネクタ部、同軸ケーブルにより構成される。
【００１４】
図５は、本実施例のパーソナルコンピュータ（ＰＣ）１２、１３のアンテナ（２０７）の構造を示す図であり、１／２λ（全長）のダイポールを垂直に立てた構造になっている。
【００１５】
図６は、本実施例のＰＣアンテナ（２０７）の指向特性を示す図である。アンテナ２０７は、ダイポールを垂直に立てた構造になっているため、水平方向に対しては均一な特性を有している。
【００１６】
図７は、本実施例のプリンタ用アンテナ（３０７）を垂直に設置した場合の指向特性を示す図であり、このケースでは図１０に示すように中継ケーブル３０４でアンテナとプリンタ本体との間を中継している。（この時アンテナ垂直センサーは、オン状態。）
図８は、本実施例のプリンタ用アンテナ（３０７）を水平に設置した場合の指向特性を示す図であり、図９に示すようにアンテナ３０７はプリンタ本体と直接接続されている。（この時アンテナ垂直センサーは、オフ状態。）
図９は、本実施例のプリンタ用アンテナ（３０７）を水平に設置した場合のアンテナ垂直センサー（９０１）のＯＦＦ状態を示す図であり、３０７は、プリンタ１１に搭載されたアンテナ、３１０は、プリンタ本体１１の一部である無線Ｉ／Ｆ、９０１は、アンテナ垂直センサー（オフ状態：水平設置）である。
【００１７】
図１０は、本実施例のプリンタ用アンテナ（３０７）を垂直に設置した場合のアンテナ垂直センサー（９０１）のＯＮ状態を示す図であり、３０４は、ケーブルの反対側でアンテナ３０７と接続される中継ケーブルである。この中継ケーブルにはアンテナ垂直センサーをオンならしめる突起が、本体と接続される側のコネクタに形成されている。９０１は、アンテナ垂直センサー（オン状態：垂直設置）である。
【００１８】
図１１は、本実施例のプリンタ（１１）のフローチャートである。
【００１９】
図１２は、本実施例のパーソナルコンピュータ（ＰＣ）１２、１３のフローチャートである。
【００２０】
図１３は、本実施例のプリンタ１１と、ＰＣ１２、１３との通信可能範囲を示す図である。（プリンタのアンテナ設置状態毎の通信可能範囲を示す。）図１３に示すようにプリンタ１１のアンテナを垂直に設置した場合は、送信出力０．６Ｗで、アンテナを水平に設置した場合は、送信出力１．０Ｗで、同じ最小通信可能半径を確保できる。プリンタ１１の制御部３００は、アンテナの設置状態（垂直、水平）により送信電力を制御する。
【００２１】
以下、図１１を用いてプリンタ（１１）の動作について説明する。
【００２２】
Ｓ１１０１で、プリンタの電源部（３０９）にＡＣ電源が供給されるとＳ１１０２に遷移し、プリンタ制御部（３００）は、プリンタ内部に対して初期設定を行う。Ｓ１１０３で、プリンタ制御部は、無線Ｉ／Ｆ（３１０）からアンテナ垂直センサー（９０１）が、ＯＮかＯＦＦから判断する。ＹＥＳならＳ１１０４に遷移し、ＮＯならＳ１１０７に遷移する。Ｓ１１０７では、アンテナが水平に設置されているので、プリンタ制御部は、無線Ｉ／Ｆ（３１０）の送信出力を１．０Ｗに設定し、Ｓ１１０５に遷移する。Ｓ１１０４では、アンテナが垂直に設置されているので、プリンタ制御部は、無線Ｉ／Ｆ（３１０）の送信出力を０．６Ｗに設定し、Ｓ１１０５に遷移する。Ｓ１１０５で、プリンタ制御部は、無線Ｉ／Ｆ（３１０）を介してＰＣから印刷データの受信があったかを判断する。ＮＯならＳ１１０５に戻り、ＹＥＳならＳ１１０６に遷移する。Ｓ１１０６で，プリンタ制御部は、受信した印刷データを元に印刷処理を行い、Ｓ１１０５に遷移する。
【００２３】
また、図１２を用いてコンピュータ（ＰＣ）１２又は１３の動作について説明する。
【００２４】
Ｓ１２０１で、ＰＣの電源部（２０４）にスイッチ２１０によって電源が供給されるとＳ１２０２に遷移し、ＣＰＵ（２００）は、ＰＣ内部に対して初期設定を行い、Ｓ１２０３に遷移する。Ｓ１２０３で、ＣＰＵ（２００）は、Ｋｅｙｂｏａｒｄ（２０３）の操作で、本ＰＣのアプリケーションソフトが起動されたかを判断する。ＮＯならＳ１２０３に戻り、ＹＥＳならＳ１２０４に遷移する。Ｓ１２０４で、ＰＵ（２００）は、Ｋｅｙｂｏａｒｄ（２０３）の操作で、印刷指示が出されたかを判断する。ＮＯならＳ１２０４に戻る。ＹＥＳならＳ１２０５に遷移し、該当する印刷データをプリンタ（１１）に対して無線Ｉ／Ｆ（２０６）を介して送信し、Ｓ１２０４に戻る。
【００２５】
次に図１１と図１２を用いて本実施例のシステム全体の動きについて説明していく。
【００２６】
ＰＣ（１２又は１３）とプリンタ（１１）に電源が投入されると夫々の装置内部で初期設定が実行される（Ｓ１１０２、Ｓ１２０２）。
【００２７】
Ｓ１１０３で、プリンタ制御部は、無線Ｉ／Ｆ（３１０）からアンテナ垂直センサー（９０１）が、ＯＮかＯＦＦかを判断する。（アンテナが、水平設置の時は、図９に示すように、アンテナ垂直センサー（９０１）が、アンテナ（３０７）コネクタに押される事無く、ＯＦＦ状態。垂直設置の時は図１０に示すように、アンテナ垂直センサー（９０１）が、中継ケーブル（３０４）コネクタに押されており、ＯＮ状態となる。）ＹＥＳならＳ１１０４に遷移し、ＮＯならＳ１１０７に遷移する。Ｓ１１０７でプリンタ制御部は、無線Ｉ／Ｆ（３１０）の送信出力を１．０Ｗに設定し、Ｓ１１０５に遷移する。Ｓ１１０４で、プリンタ制御部は、無線Ｉ／Ｆ（３１０）の送信出力を０．６Ｗに設定し、Ｓ１１０５に遷移する。（図１３に、プリンタとＰＣの通信可能範囲を、プリンタのアンテナが水平設置と垂直設置の両方の場合について図示している。このようにアンテナの設置状態をプリンタ制御部が検知し、無線Ｉ／Ｆの送信出力を切り替えることで、通信可能範囲の最低半径を同じにする。）Ｓ１２０４で、ＰＣのＣＰＵ（２００）は、Ｋｅｙｂｏａｒｄ（２０３）の操作で、印刷指示が出されたかを判断する。ＮＯならＳ１２０４に戻る。ＹＥＳならＳ１２０５に遷移し、該当する印刷データをプリンタ（１１）に対して無線Ｉ／Ｆ（２０６）を介して送信し、Ｓ１２０４に戻る。
【００２８】
Ｓ１１０５で、プリンタ制御部は、無線Ｉ／Ｆ（３１０）を介してＰＣから印刷データの受信があったかを判断する。ＮＯならＳ１１０５に戻り、ＹＥＳならＳ１１０６に遷移する。Ｓ１１０６で，プリンタ制御部は、受信した印刷データを元に印刷処理を行い、Ｓ１１０５に遷移する。
【図面の簡単な説明】
【００２９】
【図１】システム構成を示す図。
【図２】ＰＣの内部構成を示す図。
【図３】プリンタの内部構成を示す図。
【図４】プリンタ用アンテナ（３０７）の構造を示す図。
【図５】パーソナルコンピュータ（ＰＣ）のアンテナ（２０７）の構造を示す図。
【図６】ＰＣアンテナ（２０７）の指向特性を示す図。
【図７】プリンタ用アンテナ（３０７）を垂直に設置した場合の指向特性を示す図。
【図８】プリンタ用アンテナ（３０７）を水平に設置した場合の指向特性を示す図。
【図９】プリンタ用アンテナ（３０７）を水平に設置した場合のアンテナ垂直センサー（９０１）のＯＦＦ状態を示す図。
【図１０】プリンタ用アンテナ（３０７）を垂直に設置した場合のアンテナ垂直センサー（９０１）のＯＮ状態を示す図。
【図１１】プリンタ（１１）のフローチャートである。
【図１２】パーソナルコンピュータ（ＰＣ）のフローチャートである。
【図１３】プリンタと、ＰＣとの通信可能範囲を示す図である。（プリンタのアンテナ設置状態毎の通信可能範囲を示す。）
【符号の説明】
【００３０】
１１  無線インタフェースを持つプリンタ
１２  プリンタ１１と通信できる無線インタフェースを持つパーソナルコンピュータ（ＰＣ）
１３  プリンタ１１と通信できる無線インタフェースを持つパーソナルコンピュータ（ＰＣ）
【図１】
2005167569.tif 000003
【図２】
2005167569.tif 000004
【図３】
2005167569.tif 000005
【図４】
2005167569.tif 000006
【図５】
2005167569.tif 000007
【図６】
2005167569.tif 000008
【図７】
2005167569.tif 000009
【図８】
2005167569.tif 000010
【図９】
2005167569.tif 000011
【図１０】
2005167569.tif 000012
【図１１】
2005167569.tif 000013
【図１２】
2005167569.tif 000014
【図１３】
2005167569.tif 000015